【手続補正書】
【提出日】平成28年8月4日(2016.8.4)
【手続補正１】
【補正対象書類名】明細書
【補正対象項目名】０１３１
【補正方法】変更
【補正の内容】
【０１３１】
本発明の様々な変更及び変更は、本発明の趣旨及び範囲から逸脱することなく、当業者にとって明らかとなり、本発明は本発明において説明される例示的な実施形態に限定されないものと理解されるべきである。読者は、開示される一実施形態の特徴はまた、他に指示がない限り、他の全ての開示される実施形態に応用され得る。本明細書において参照される、米国特許、特許出願公開、並びに他の特許文献及び非特許文献は、これらが先行する開示と矛盾しない限りにおいて、参照として組み込まれる。本発明の実施態様の一部を以下の項目［１］−［２６］に記載する。
[１]
照明装置であって、
第１の主表面を有する導光体であって、前記第１の主表面が、前記第１の主表面の第１の部分内及び第２の部分内にそれぞれ形成された第１の回折面フィーチャ及び第２の回折面フィーチャを有し、前記第１の回折面フィーチャ及び第２の回折面フィーチャの少なくとも一方が、案内モード光を前記導光体の外部に連結するように適合されている、導光体と、
前記第２の回折面フィーチャと光学的に接触しているが、前記第１の回折面フィーチャとは光学的に接触していないパターン化光透過性層であって、第２の光透過性媒体を含む、パターン化光透過性層と、
前記第１の回折面フィーチャと光学的に接触しているが、前記第２の回折面フィーチャとは光学的に接触していない第１の光透過性媒体と、
を含み、前記第１の光透過性媒体及び前記第２の光透過性媒体が、それぞれ、可視波長において異なる第１の屈折率及び第２の屈折率を有する、装置。
[２]
前記第１の屈折率と前記第２の屈折率とが、少なくとも０．０５異なっている、項目１に記載の装置。
[３]
前記第１の主表面の前記第１の部分及び前記第２の部分が印を画定する、項目１に記載の装置。
[４]
案内モード光が前記導光体内を伝搬する際に前記第１の部分の外部連結光と前記第２の部分の外部連結光との間の相違によって前記印が前記照明装置のユーザーに容易に明らかになるように、前記第１の屈折率及び前記第２の屈折率が十分に異なる、項目３に記載の装置。
[５]
前記導光体が、前記第１の部分及び前記第２の部分両方の内部で、前記導光体を通して対象を視認するように低い歪みを有する、項目３に記載の装置。
[６]
案内モード光が前記導光体内を伝搬しない際、前記印が、前記照明装置のユーザーに容易に明らかではない、項目５に記載の装置。
[７]
前記導光体に近接して配置されて、前記導光体内に前記案内モード光を提供する１つ以上の光源を更に含む、項目１に記載の装置。
[８]
前記第１の光透過性媒体が、空気である、項目１に記載の装置。
[９]
前記第２の光透過性媒体が、接着剤である、項目１に記載の装置。
[１０]
前記第１の光透過性媒体及び前記第２の光透過性媒体が、両方ともポリマー組成物である、項目１に記載の装置。
[１１]
前記第１の光透過性及び前記第２の光透過性媒体が、両方とも実質的に透明で無色である、項目１に記載の装置。
[１２]
前記第１の回折面フィーチャ及び前記第２の回折面フィーチャが、回折面フィーチャ屈折率を有し、前記回折面フィーチャ屈折率が、前記第１の屈折率と第１の差ｄｎ１だけ異なっており、前記第２の屈折率と第２の差ｄｎ２だけ異なっており、ｄｎ２の大きさが、前記第１の回折面フィーチャに対して前記第２の回折面フィーチャが案内モード光を導光体の外部に殆ど又は全く連結しないように、ｄｎ１の大きさよりも実質的に小さい、項目１に記載の装置。
[１３]
前記ｄｎ２の大きさが、光の可視波長においてｄｎ１の大きさの半分未満である、項目１２に記載の装置。
[１４]
前記第１の回折面フィーチャ及び前記第２の回折面フィーチャが、回折面フィーチャ屈折率を有し、前記回折面フィーチャ屈折率が、前記第１の屈折率と第１の差ｄｎ１だけ異なっており、前記第２の屈折率と第２の差ｄｎ２だけ異なっており、ｄｎ１及びｄｎ２が、前記第１の回折面フィーチャ及び前記第２の回折面フィーチャの両方によって相当の案内モード光が前記導光体の外部に連結されるように、互いに同等の大きさを有する、項目１に記載の装置。
[１５]
更に、いくつかの案内モード光が、前記第１の回折面フィーチャ及び／又は前記第２の回折面フィーチャの少なくともいくつかに到達することを選択的に遮断するように構成されたパターン化低屈折率下面層を含む、項目１に記載の装置。
[１６]
前記パターン化低屈折率下面層が第１の層部分及び第２の層部分を含み、前記第１の層部分がナノボイド高分子材料を含み、前記第２の層部分が前記ナノボイド高分子材料及び追加の材料を含む、項目１５に記載の装置。
[１７]
基材に取り付けられて、導光体を形成するように適合された光学フィルムであって、
第１の主表面であって、前記第１の主表面の第１の部分内及び第２の部分内にそれぞれ形成された第１の回折面フィーチャ及び第２の回折面フィーチャを有し、前記第１の回折面フィーチャ及び前記第２の回折面フィーチャの少なくとも一方が、案内モード光を前記導光体の外部に連結するように適合されている、第１の主表面と、
前記第２の回折面フィーチャと光学的に接触しているが、前記第１の回折面フィーチャとは光学的に接触していないパターン化光透過性層であって、第２の光透過性媒体を含む、パターン化光透過性層と、
前記第１の回折面フィーチャと光学的に接触しているが、前記第２の回折面フィーチャとは光学的に接触していない第１の光透過性媒体と、
を含み、前記第１及び第２の光透過性媒体が、それぞれ、可視波長において異なる第１の屈折率及び第２の屈折率を有する、フィルム。
[１８]
前記光学フィルムが、前記第１の部分及び前記第２の部分の両方内で、前記光学フィルムを通して物体を視認するように低い歪みを有する、項目１７に記載のフィルム。
[１９]
前記第１の主表面の前記第１の部分及び前記第２の部分が印を画定する、項目１７に記載のフィルム。
[２０]
前記フィルムが前記基材に取り付けられる前に、前記印が、前記フィルムのユーザーに容易に明らかではない、項目１９に記載のフィルム。
[２１]
前記第１の主表面の反対側の第２の主表面と、
前記第２の主表面に配置されて、基材に対する前記フィルムの取り付けを容易にする光透過性接着剤層とを更に含む、項目１７に記載のフィルム。
[２２]
可撓性キャリアフィルムと、
前記キャリアフィルム上に鋳込まれたプリズム層と、
を更に含み、前記光学フィルムの前記第１の主表面が、前記プリズム層の外側表面である、項目１７に記載のフィルム。
[２３]
セキュリティ物品であって、
第１の主表面を有する導光体であって、前記第１の主表面が、前記第１の主表面の第１の部分内及び第２の部分内にそれぞれ形成された第１の回折面フィーチャ及び第２の回折面フィーチャを有し、前記第１の回折面フィーチャ及び前記第２の回折面フィーチャの少なくとも一方が、案内モード光を前記導光体の外部に連結するように適合されている、導光体と、
前記第２の回折面フィーチャと光学的に接触しているが、前記第１の回折面フィーチャとは光学的に接触していないパターン化光透過性層であって、第２の光透過性媒体を含む、パターン化光透過性層と、
前記第１の回折面フィーチャと光学的に接触しているが、前記第２の回折面フィーチャとは光学的に接触していない第１の光透過性媒体と、
を含み、前記第１の光透過性媒体及び前記第２の光透過性媒体が、それぞれ、可視波長において異なる第１の屈折率及び第２の屈折率を有する、物品。
[２４]
前記導光体が、前記第１の部分及び前記第２の部分の両方内で、前記導光体を通して物体を視認するように低い歪みを有する、項目２３に記載の物品。
[２５]
いくつかの案内モード光が前記第１の回折面フィーチャ及び／又は第２の回折面フィーチャの少なくともいくつかに到達することを選択的に遮断するように構成されたパターン化低屈折率下面層を更に含む、項目２３に記載の物品。
[２６]
前記パターン化低屈折率下面層が第１の層部分及び第２の層部分を含み、前記第１の層部分がナノボイド高分子材料を含み、前記第２の層部分が前記ナノボイド高分子材料及び追加の材料を含む、項目２３に記載の物品。
【手続補正２】
【補正対象書類名】特許請求の範囲
【補正対象項目名】全文
【補正方法】変更
【補正の内容】
【特許請求の範囲】
【請求項１】
照明装置であって、
第１の主表面を有する導光体であって、前記第１の主表面が、前記第１の主表面の第１の部分内及び第２の部分内にそれぞれ形成された第１の回折面フィーチャ及び第２の回折面フィーチャを有し、前記第１の回折面フィーチャ及び第２の回折面フィーチャの少なくとも一方が、案内モード光を前記導光体の外部に連結するように適合されている、導光体と、
前記第２の回折面フィーチャと光学的に接触しているが、前記第１の回折面フィーチャとは光学的に接触していないパターン化光透過性層であって、第２の光透過性媒体を含む、パターン化光透過性層と、
前記第１の回折面フィーチャと光学的に接触しているが、前記第２の回折面フィーチャとは光学的に接触していない第１の光透過性媒体と、
を含み、前記第１の光透過性媒体及び前記第２の光透過性媒体が、それぞれ、可視波長において異なる第１の屈折率及び第２の屈折率を有する、装置。
【請求項２】
基材に取り付けられて、導光体を形成するように適合された光学フィルムであって、
第１の主表面であって、前記第１の主表面の第１の部分内及び第２の部分内にそれぞれ形成された第１の回折面フィーチャ及び第２の回折面フィーチャを有し、前記第１の回折面フィーチャ及び前記第２の回折面フィーチャの少なくとも一方が、案内モード光を前記導光体の外部に連結するように適合されている、第１の主表面と、
前記第２の回折面フィーチャと光学的に接触しているが、前記第１の回折面フィーチャとは光学的に接触していないパターン化光透過性層であって、第２の光透過性媒体を含む、パターン化光透過性層と、
前記第１の回折面フィーチャと光学的に接触しているが、前記第２の回折面フィーチャとは光学的に接触していない第１の光透過性媒体と、
を含み、前記第１及び第２の光透過性媒体が、それぞれ、可視波長において異なる第１の屈折率及び第２の屈折率を有する、フィルム。